(57)【要約】【課題】エイミング可能であっても運転者にグレア等を生じさせないようにすると共に機械的強度や防水機能を向上させることができる高欄照明器具を提供することである。【解決手段】器具本体１１は長手方向の一側面に開口部１２を有し両端部に端板１３が固定され、脚部１５により高欄に直立状態から下方に所定角度までエイミング可能に取り付けられる。器具本体１１には開口部１２と対向して光源ランプ１８が配設され、開口部カバー１６が開口部１２を覆うように器具本体１１に蝶番１７で開閉可能に取り付けられる。そして、器具本体１１の底面部には複数の水抜き穴２３が設けられる。【選択図】　図１
2004103270.tif 000002
【特許請求の範囲】
【請求項１】
長手方向の一側面に開口部を有し両端部に端板を固定してなる器具本体と；
前記器具本体を直立状態から下方に所定角度までエイミング可能に取り付けるための脚部と；
前記器具本体に収納され開口部と対向して配設される光源ランプと；
前記開口部を覆うように配設され前記器具本体に蝶番で開閉可能に取り付けられた開口部カバーと；
前記器具本体の底面部に設けられた複数の水抜き穴と；
を備えたことを特徴とする高欄照明器具。
【請求項２】
前記開口部カバーの枠部が前記器具本体に当接する部分にシリコーン接着剤で取り付けられ、前記開口部カバーの枠部の外側に位置する厚みに対して内側に位置する厚みが小さく形成され防水パッキンを備えたことを特徴とする請求項１記載の高欄照明器具。
【請求項３】
前記光源ランプと前記開口部カバーとの間に、前記器具本体の下方にいくに従って段階的に前記器具本体の内側に引っ込んで設けられた横羽ルーバーを備えたことを特徴とする請求項１または２記載の高欄照明器具。
【発明の詳細な説明】
【０００１】
【発明の属する技術分野】本発明は、道路の高欄や遮音壁上などに取り付られ、屋外でに使用される高欄照明器具に関する。
【０００２】
【従来の技術】高欄照明器具は、道路に両側に設けられた高欄や遮音壁の上部に設置され、道路の路面の照明に使用されるものである。（例えば、特許文献１、特許文献２参照）。
【０００３】
このような高欄照明器具では、自動車の運転者にグレア等を生じさせないようにすると共に、路面輝度を確保して運転者が運転し易いように路面を照明することが要請され、また、高欄上部を吹き抜ける風雨に直接曝されることが多いので、十分に機械的強度を有する構造とすると共に防水構造とすること等が要請されている。そこで、これらの要請に応えるべく開発がなされている。
【０００４】
【特許文献１】
特開２０００−２４３１０３号公報
【０００５】
【特許文献２】
特願２００１−３８８３２９号
【０００６】
【発明が解決しようとする課題】
ところが、高欄照明器具の器具本体を直立状態から下方に所定角度までエイミング可能とする高欄照明器具が開発されており、このようなエイミング可能な高欄照明器具に対して、運転者にグレア等を生じさせないようにすると共に機械的強度や防水機能を向上させることが必要となる。
【０００７】
本発明の目的は、エイミング可能であっても運転者にグレア等を生じさせないようにすると共に機械的強度や防水機能を向上させることができる高欄照明器具を提供することである。
【０００８】
【課題を解決するための手段】請求項１の発明に係る高欄照明器具は、長手方向の一側面に開口部を有し両端部に端板を固定してなる器具本体と；前記器具本体を直立状態から下方に所定角度までエイミング可能に取り付けるための脚部と；前記器具本体に収納され開口部と対向して配設される光源ランプと；前記開口部を覆うように配設され前記器具本体に蝶番で開閉可能に取り付けられた開口部カバーと；前記器具本体の底面部に設けられた複数の水抜き穴と；を備えたことを特徴とする。
【０００９】
本発明及び以下の発明において、特に指定しない限り用語の定義及び技術的意味は以下による。
【００１０】
器具本体は長手方向の一側面に開口部を有し、その両端部に端板を固定して構成される。器具本体は、例えばアルミの押出し材を用いて防水構造に構成され、器具本体のコーナ部はＲ化している。器具本体の底面部には脚部が設けられ、この脚部により器具本体を高欄に据え付ける。高欄には道路の両側に設置される工作物であり遮音壁も含まれる。脚部は器具本体を直立状態から下方に所定角度までエイミング可能に取り付ける。例えば、直立状態から下向きに最大３０度程度へのエイミング可能となっている。これにより、道路の傾斜やカーブの状況に応じて適正に照明できるようになる。光源ランプは器具本体の開口部と対向して器具本体の背面側に横長に配置される。また、開口部カバーは開口部を覆うように配設され、器具本体の上部に設けられた蝶番で開閉可能に取り付けられる。
【００１１】
複数の水抜き穴は器具本体の底面部およびＲ化部に設けられる。水抜き穴は器具本体の奥行き方向に例えば３カ所設けられ、２カ所は底面の平坦部に設け、残りの１カ所は最大エイミング角度（例えば３０度）に対応可能な位置と大きさでＲ化部に設けられる。水抜き穴の大きさは例えば円形Φ６（±１ｍｍ）とする。これにより、エイミングをした場合であっても器具本体に混入した水を排水できるようにしている。また、水抜き穴には必要に応じて内面から防虫ネットが貼り付ける。これにより虫の混入を防止する。
【００１２】
本発明によれば、器具本体の底面の平坦部及びＲ化部に水抜き穴を設けたので、エイミング角度が最小から最大まで変化しても適正に器具本体の水抜きをすることができる。
【００１３】
請求項２の発明に係る高欄照明器具は、請求項１の発明において、前記開口部カバーの枠部が前記器具本体に当接する部分にシリコーン接着剤で取り付けられ、前記開口部カバーの枠部の外側に位置する厚みに対して内側に位置する厚みが小さく形成され防水パッキンを備えたことを特徴とする。
【００１４】
本発明は、開口部カバーと当接する部分に破損しにくい防水パッキンを設けたものである。防水パッキンは、例えばシリコーンスポンジ製で形成され、開口部カバーの枠部が器具本体に当接する部分にシリコーン接着剤で取り付けられる。例えば、開口部カバーの枠部としてアルミ押し出し材を用い溶接などにより額縁のように四角形を形成する形状とし、これの全周にわたり防水パッキンを均一に接触させる構造とする。
【００１５】
防水パッキンは、開口部カバーの枠部の外側に位置する厚みに対して内側に位置する厚みが漸減して形成され、防水パッキンの内側と外側に傾斜をつける。例えば、幅が８〜１５ｍｍで、外側の厚みに対して内側の厚みが外側の厚みの１５〜３０％減とする。
【００１６】
本発明によれば、防水パッキンの内側の厚みと外側の厚みに内側が薄くなるように傾斜をつけているので、開口部カバーの初期の当たりを柔らかくし、蝶番に近い方の防水パッキンが蝶番側に移動する力を弱め、防水パッキンの破損や変形が防止できると同時に十分な防水性能を有することが可能となる。
【００１７】
請求項３の発明に係る高欄照明器具は、請求項１または２の発明において、前記光源ランプと前記開口部カバーとの間に、前記器具本体の下方にいくに従って段階的に前記器具本体の内側に引っ込んで設けられた横羽ルーバーを備えたことを特徴とする。
【００１８】
本発明は、光源ランプと開口部カバーとの間に器具本体の下方にいくに従って段階的に器具本体の内側に引っ込んで横羽ルーバーを設けたものである。これにより、上から見ると下の横羽が見える面積が少なくなり、結果としてまぶしさや上方漏光が少なくなり、自動車の運転者へのグレアを防止できる。
【００１９】
【発明の実施の形態】以下、本発明の実施の形態を説明する。図１は本発明の実施の形態に係る高欄照明器具の側面図、図２は正面図である。高欄照明器具の器具本体１１は、長手方向の一側面に開口部１２を有し、両端部には端板１３が固定されている。器具本体１１は脚部１４により、道路に両側に設けられた高欄１５に設置される。以下の説明では道路の両側に設けられた遮音壁等も含めて高欄１５と称することとする。脚部１４は器具本体１１を直立状態から下方に所定角度までエイミング可能に取り付けられ、器具本体１１の据え付け時に、そのエイミング角度が設定される。
【００２０】
器具本体１１は、例えばアルミの押出し材を用いて防水構造に構成され、器具本体１１のコーナ部はＲ化している。これは、器具本体１１をエイミング可能としたことに伴い、器具本体１１のコーナ部をＲ化したものであり、外径が最低でＲ２５以上とするようにしている。そして、器具本体１１の開口部１２の前面には、開口部１２を覆うように開口部カバー１６が蝶番１７で開閉可能に取り付けられている。器具本体１１には光源ランプ１８およびこの光源ランプ１８を点灯させる点灯装置１９が収納されている。光源ランプ１８は器具本体１１の開口部１２と対向して着る本体１１内に配設されており、さらに、この光源ランプ１８と開口部カバー１６との間に、光源ランプ１８からの上方光束を制限するための横羽ルーバー２０が設けられている。
【００２１】
光源ランプ１８からの出射光は主反射鏡２１で反射され、横羽ルーバー２０により上方への光束が制限され、器具本体１１を正面から見た場合に光源ランプ１８の直射光をほとんど隠すようにしている。また、補助反射鏡２２が設けられており、主反射鏡２１では不足になりがちな器具本体１１に近い部分を照らすようにしている。一方、器具本体１１の底面部には複数の水抜き穴２３ａ〜２３ｃが設けられており、器具本体１１に侵入した水を排水できるようにしている。
【００２２】
図３は、器具本体１１の底面部の一部切り欠き断面図である。器具本体１１の底面部には複数の水抜き穴２３ａ〜２３ｃが設けられており、図３では３個の水抜き穴２３が設けられたものを示している。器具本体１１の底面平坦部に２個の水抜き穴２３ｂ、２３ｃが設けられ、最大エイミング角度のＲ化部に１個の水抜き穴２３ａが設けられている。図３では器具本体１１の最大エイミング角度が３０度である場合を示しており、器具本体１１は、直立状態から下方に下向きで最大３０度傾くので、その場合にその水抜き穴２３ａが平坦位置になり水を排出できる大きさに設けられている。
【００２３】
ここで、Ｒ化部の水抜き穴２３ａと平坦部の水抜き穴２３ｂとの間はＲ形状であるので、エイミング角度が０度〜３０度では窪みが形成されその窪みに水が溜まる可能性がある。そこで、それを最小限に止めるために、エイミング角度が０度〜３０度の間での窪みを１ｍｍ以下になるように器具本体１１のＲ寸法を２５Ｒ以上としている。また、穴あけ方向は、全て底面平坦部の水抜き穴２３ｂ、２３ｃと同一方向からとしている。本実施の形態では、水抜き穴２３ａ〜２３ｃの穴径は、穴間の寸法や窪み量との関係で、直径６ｍｍとしている。なお、水抜き穴２３ａ〜２３ｃには器具本体１１の内面から防虫ネットが貼り付けられ、虫の混入を防止するようにしている。
【００２４】
このように、器具本体１１のコーナ部をＲ化し、器具本体１１のエイミング角度が最小または最大の傾き時の場合に鉛直方向に穴が向くように水抜き穴２３ａ〜２３ｃを設けたので、エイミング角度のすべての角度、例えば０度〜３０度のすべてのエイミング角度について対応可能となっている。
【００２５】
図４は、器具本体１１への開口部カバー１６の蝶番１７での取り付け部分の一部切り欠き断面図である。開口部カバー１６の上部には蝶番１７が取り付けられ、開口部カバー１６は蝶番１７にて開閉可能となっている。開口部カバー１６は、例えばアルミ押し出し材を用いて溶接などにより、額縁のように四角形に形成される。この開口部カバー１６の枠部２５が器具本体１１に当接する部分に防水パッキン２４が取り付けられている。
【００２６】
防水パッキン２４は、例えばシリコーンスポンジ製で形成され、器具本体１１側にシリコーン接着剤で取り付けられる。すなわち、開口部カバー１６が閉じられたとき、額縁のように形成された四角形の開口部カバー１６の枠部２５の全周にわたり防水パッキン２４を均一に接触させる構造とする。
【００２７】
防水パッキン２４は、開口部カバー１６の枠部２５の外側に位置する厚みに対して内側に位置する厚みが漸減するように形成され、防水パッキン２４の内側と外側に傾斜をつける。図４は器具本体１１の上部の一部切り欠き断面図であるので、図４では防水パッキン２４の上部が開口部カバー１６の枠部２５の外側に位置することになり、図４の上部が厚く下部が薄く形成されている。
【００２８】
器具本体１１の下部では、この関係が逆になり、防水パッキン２４の下部が開口部カバー１６の枠部２５の内側に位置することになり上部が薄く下部が厚く形成されることになる。防水パッキン２４の厚みの漸減は、例えば、防水パッキン２４の幅が８〜１５ｍｍで、外側の厚みに対して内側の厚みが外側の厚みの１５〜３０％減とする。
【００２９】
このように、防水パッキン２４の内側の厚みと外側の厚みに内側が薄くなるように傾斜をつけているので、開口部カバーの初期の当たりを柔らかくし、蝶番に近い方の防水パッキン２４が蝶番側に移動する力を弱め、防水パッキンの破損や変形が防止できると同時に十分な防止性能を有する。
【００３０】
次に、光源ランプ１８と開口部カバー１６との間に設けられた横羽ルーバー２０について説明する。図５は、器具本体１１に収納される横羽ルーバー２０の説明図である。横羽ルーバー２０の各横羽２０ａ〜２０ｆは、器具本体１１の下方にいくに従って段階的に器具本体１１の内側に引っ込んで取り付けられている。また、各々の横羽２０ａ〜２０ｆの下側（路面側）は反射率７０％以上の鏡面で形成し、上側は黒色あるいは黒色艶消しとしている。また両面を黒色艶消しとしても良い。
【００３１】
横羽ルーバー２０の各々の横羽２０ａ〜２０ｆの下面を鏡面化することで、上方光束を抑制しながら下方への光を効率よく反射する。特に、横羽ルーバー２０の各々の横羽２０ａ〜２０ｆへ入射する光は角度が浅いので、反射しても極端に経路が変わらないことから、観察者にグレアを生じさせることはほとんどない。
【００３２】
一方、横羽ルーバー２０の各々の横羽２０ａ〜２０ｆの上側には、艶消し黒色塗装を施しているが反射率は０ではないので、角度や光源ランプ１８の明るさによっては、観察者から横羽ルーバー２０の反射が眩しく感じることがある。そこで、横羽ルーバー２０の各横羽２０ａ〜２０ｆを器具本体１１の下方にいくに従って段階的に器具本体１１の内側に引っ込んで取り付けている。器具本体１１の出光面（開口部カバー１６）は、通常、道路に対して垂直〜４５度の方向に向いて取り付けられるが、観察者から見たときに器具本体１１が観察者より下にある場合、例えば、器具本体１１の高欄への取り付け高さが概ね道路の路面より１．５ｍ以下である場合には、横羽ルーバー２０の一番の上の横羽２０ａ以外は見えない方が望ましい。
【００３３】
この要請を満たすために、横羽ルーバー２０の各々の横羽２０ａ〜２０ｆの間隔ｙは５ｍｍ〜３０ｍｍ間隔とし、横羽ルーバーの各々の横羽２０ａ〜２０ｆのずらし量ｘは、各横羽の間隔ｘの１／５〜１／２とする。各々の横羽２０ａ〜２０ｆのずらし量ｘは、詳細には器具本体１１の取り付け位置、エイミング角度や観察者の位置によって異なるが、観察者から見たときに一番の上の横羽２０ａ以外は見えないようにする。
【００３４】
このように、横羽ルーバ２０の下側の横羽２０ｂ〜２０ｆがその上の横羽２０ａ〜２０ｅより器具本体１１の奥側に入っている構造としているので、器具本体１１を上側から見ると、下側の横羽が見える面積が少なくなり、結果として眩しさや上方への漏光が少なくなる。
【００３５】
ここで、補助反射鏡２２について説明する。図１に示すように、本発明の実施の形態では、主反射鏡２１と補助反射鏡２２との２種類の独立した反射鏡を具備している。主反射鏡２１は、光源ランプ１８からの出射光を目的の方向に反射する反射鏡であり、補助反射鏡２２は主反射鏡２１では不足になりがちな器具本体１１に近い部分を照らすための反射鏡である。
【００３６】
一般に、高欄照明器具は器具本体１１の正面から見た場合、光源ランプ１８をほとんど隠さなければならないので、器具効率が悪くなる傾向にある。そこで、光源ランプ１８の上部に主反射鏡２１とは別個に補助反射鏡２２を設け、器具本体１１の足下、つまり、道路の路肩部分を照明する光の低下を防止している。主反射鏡２１は配線や点灯装置１９の交換などのメンテナンス時にワンタッチで取り外し可能な構造にし、補助反射鏡２２は器具本体１１の天板部分にネジなどで取り付け、工具がないと外せない構造としている。これにより、高欄照明器具の配光形状が改善され、同時に器具効率も増加する。特に道路の路肩部分からの道路横断方向の均斉度が向上する。
【００３７】
次に、図６は器具本体１１への端板１３の取り付けについての説明図であり、図６（ａ）は器具本体１１の端部の一部切り欠き断面図、図６（ｂ）は補強板２５の斜視図である。器具本体１１としてアルミ押出し材を用いた場合には端板１３にはアルミダイカスト製を用い、図６（ａ）に示すように補強板２５を介して器具本体１１に端板１３を取り付ける。すなわち、器具本体の内部に補強板２５を配置し、端板１３と器具本体１１とをネジ２６で補強板２５を介してネジ止めする。また、図６（ｂ）に示すように、補強板２５は、断面がコ字型に形成されており強度を向上させている。
【００３８】
端板１３にはタッピングネジを通す穴が設けられており、タッピングネジにより器具本体１１のアルミ押し出し材および補強板２５にネジ込まれる。また、端板１３にはシリコーン接着剤を流し込むためのレールが設けられており、器具本体１１を端板１３のレールに挿入した場合にシリコーン接着剤が流れ出ない程度の幅を持たせている。また、端板１３と器具本体１１とは、Ｍ４以上のメッキしたネジにより４〜６カ所で固定される。ネジは１０ｍｍ以上の長さを持つタッピングネジを用いて、押し出し材に設けられた溝に固定される。
【００３９】
このように、タッピングネジがダイカストの端板１３の馬鹿穴を通って、器具本体１１のアルミ押し出し材および補強板２５にネジ込まれるだけでなく、防水のためシリコーン接着剤によっても接着される。従って、事故があった場合にも、端板１３が器具本体１１から外れることがない強度を保っている。さらに、器具本体１１の内部よりタッピングを立てて、例えばＭ６以上の太いボルトで固定するようにしてもよい。この場合、端板１３を固定する相手は器具本体１１であり、器具本体１１はこれらのネジとは直角方向にボルトを固定するので頑強である。従って、事故があった場合にも、端板１３が器具本体１１から外れないようにしている。つまり、同時に防水も兼ねたシリコーン接着剤の接着力も加わって、万が一の場合にも、端板１３のみが吹き飛んでいくことを防止できる。
【００４０】
次に、器具本体１１に収納された点灯装置１９に外部から緊急点灯制御信号を出力して器具本体１１に収納された光源ランプを緊急点灯制御するようにしてもよい。すなわち、瞬点、調光、再始動が可能な光源ランプ１８を用い、道路の連続照明区間やトンネル内において、例えば、緊急工事や事故など場所が迫ったことを運転者に知らせるための緊急点灯制御を行う。これは、既に保守率を零とし調光により汚れを補完する点灯制御を行っている高欄照明器具や夜間に調光を行っている高欄照明器具に容易に適用できる。
【００４１】
また事故や故障車などの情報は、各所に配置しているＩＴＶカメラや防災制御装置等から入力し、それらの信号に基づいて特定の位置の照明器具や特定の群の照明器具に緊急点灯制御信号を送信する。緊急点灯制御信号を受信した点灯装置１９は、光源ランプ１８を全光にしたり一部を点滅させたりする。例えば、事故区間直前の一部照明器具の点滅させたり、事故区間の照明器具を全光にして他の部分よりも照度を向上させたりする。また、２灯用の高欄照明器具の場合には、例えば上下の光源ランプを交互に点灯する。
【００４２】
このように、高欄照明器具の光源ランプ１８の光量や点滅などを用いて、事故エリアをドライバに早期に知らせる。事故などの情報は、ＩＴＶカメラのデジタル処理を含めた情報の共有（ＩＴ）化を利用するので、事故などの非常事態の位置や場所等がタイムリーに走行車両に伝えられる。従って、事故の場所などの警告が事故直後から行えることになり、作業車両の到着前に運転者に事故エリアを報知することに利用することができる。
【００４３】
次に、各々の器具本体１１に明るさセンサを設け、この明るさセンサの検出信号に基づき光源ランプ１８の点灯または消灯するようにしてもよい。通常、明かりセンサを有する照明器具は暗くなると点灯し、所定の明るさ以上となると消灯するものであるが、高欄照明器具の場合は一カ所からの制御により光源ランプ１８をオンオフ制御している。従って、一部の高欄照明器具においては周囲が明るくても点灯してしまうことがある。特に夏場の明るいときは、直射日光などで器具本体１１が暖められ、点灯装置１９の周囲温度が７０℃を超えるようなケースも発生する。周囲の温度が７０℃以上で光源ランプ１８が点灯すると、故障や単寿命を起こす可能性がある。
【００４４】
現状では主に点灯装置１９内に温度センサを内蔵して７０℃を超えるような場合には、点灯指令が入力されていても光源ランプ１８の点灯を阻止し点灯装置１９の故障を防ぐようにしている。そのようにした場合には、温度センサを別個に設ける必要がある。そこで、明るさセンサのみで高温時の光源ランプ１８の点灯を阻止できるようにする。
【００４５】
すなわち、明るさセンサにより周囲の明るさを検出して一定の明るさになったら点灯装置１９は光源ランプ１８を消灯し、一方、一カ所からの点灯指令が入力された場合であっても、点灯装置１９は明るさセンサが一定の暗さを検出しない限りは光源ランプ１８を点灯しないようにする。これは、その高欄照明器具の近傍が所定の明るさ以上であるときは、周囲温度も高いと推定されるからである。
【００４６】
明るさセンサは、直射日光や自動車のヘッドライト等の外部からの直射光の影響を受けない位置、例えば器具本体１１の上部あるいは背面等に配置される。また、明るさセンサの前面にフードを設け、直射日光や自動車のヘッドライト等の外部からの直射光の影響を受けないようにしてもよいし、明るさセンサの前面にレンズ系を設けて、路面輝度などを測定するようにしてもよい。なお、明るさセンサには、例えばＣｄｓなどを用いた照度式の受光素子を用いる。
【００４７】
このように、周囲の明るさの応じて点灯および消灯させるための明るさセンサを活用し、温度が高い可能性があり、照明を使う必要がないときは点灯させないようにしている。従って、明るさセンサのみで周囲温度が高温時に光源ランプ１８の点灯を阻止できるので、点灯装置１９の高温による悪影響を防止できる。
【００４８】
【発明の効果】以上述べたように、本発明の請求項１の発明によれば、器具本体の底面の平坦部及びＲ化部に水抜き穴を設けたので、エイミング角度が最小から最大まで変化しても適正に器具本体の水抜きをすることができる。
【００４９】
請求項２の発明によれば、防水パッキンの内側の厚みと外側の厚みに内側が薄くなるように傾斜をつけているので、開口部カバーの初期の当たりを柔らかくし、蝶番に近い方の防水パッキンが蝶番側に移動する力を弱め、防水パッキンの破損や変形が防止できる。さらに、請求項３の発明によれば、光源ランプと開口部カバーとの間に器具本体の下方にいくに従って段階的に器具本体の内側に引っ込んで横羽ルーバーを設けたので、上から見ると下の横羽が見える面積が少なくなり、結果としてまぶしさや上方漏光が少なくなり、自動車の運転者へのグレアを防止できる。
【図面の簡単な説明】
【図１】本発明の実施の形態に係る高欄照明器具の側面図。
【図２】本発明の実施の形態に係る高欄照明器具の正面図
【図３】本発明の実施の形態における器具本体の底面部の一部切り欠き断面図。
【図４】本発明の実施の形態における器具本体への開口部カバーの蝶番での取り付け部分の一部切り欠き断面図。
【図５】本発明の実施の形態における器具本体に収納される横羽ルーバーの説明図。
【図６】本発明の実施の形態における器具本体への端板の取り付けについての説明図。
【符号の説明】１１…器具本体、１２…開口部、１３…端板、１４…脚部、１５…高欄、１６…開口部カバー、１７…蝶番、１８…光源ランプ、１９…点灯装置、２０…横羽ルーバー、２１…主反射鏡、２２…補助反射鏡、２３…水抜き穴、２４…防水パッキン、２５…枠部、２６…ネジ
【図１】
2004103270.tif 000003
【図２】
2004103270.tif 000004
【図３】
2004103270.tif 000005
【図４】
2004103270.tif 000006
【図５】
2004103270.tif 000007
【図６】
2004103270.tif 000008